(57)【要約】【課題】複数人が一組となって１つの小説を作成するための方法、プログラムおよびサーバ等を提供すること。【解決手段】本発明の方法は、ａ）サーバが、複数の部分のうちの１つの部分を執筆する作家を決定し、その決定した作家のユーザ端末にその１つの部分の執筆を依頼する旨のリクエストを送信するステップと、ｂ）そのサーバが、所定の期限内に、その１つの部分の執筆を依頼された作家のユーザ端末から投稿を受信したか否かを判定するステップと、ｃ）その判定結果がＹｅｓである場合には、そのサーバが、その投稿の内容を登録するステップと、ｄ）その判定結果がＮｏである場合には、ステップａ）に戻るステップと、ｅ）その小説の最初の部分から最後の部分に至るまで、ステップａ）〜ｄ）を繰り返すステップとを含む。【選択図】図１
2010117953.tif 000002
【特許請求の範囲】
【請求項１】
ユーザ端末と通信するサーバを用いて、小説を作成するための方法であって、その小説は、複数の部分を含み、
その方法は、
ａ）そのサーバが、その複数の部分のうちの１つの部分を執筆する作家を決定し、その決定した作家のユーザ端末にその１つの部分の執筆を依頼する旨のリクエストを送信するステップと、
ｂ）そのサーバが、所定の期限内に、その１つの部分の執筆を依頼された作家のユーザ端末から投稿を受信したか否かを判定するステップと、
ｃ）その所定の期限内にその１つの部分の執筆を依頼された作家のユーザ端末から投稿を受信したと判定された場合には、そのサーバが、その投稿の内容を登録するステップと、
ｄ）その所定の期限内にその１つの部分の執筆を依頼された作家のユーザ端末から投稿を受信しなかったと判定された場合には、ステップａ）に戻るステップと、
ｅ）その小説の最初の部分から最後の部分に至るまで、ステップａ）〜ｄ）を繰り返すステップと
を含む、方法。
【請求項２】
前記複数の部分は、前記小説の「起」、「承」、「転」、「結」にそれぞれ対応する、請求項１に記載の方法。
【請求項３】
ユーザ端末と通信するサーバにおいて実行され、小説を作成するために使用されるプログラムであって、その小説は、複数の部分を含み、
そのプログラムは、
ａ）その複数の部分のうちの１つの部分を執筆する作家を決定し、その決定した作家のユーザ端末にその１つの部分の執筆を依頼する旨のリクエストを送信するステップと、
ｂ）所定の期限内に、その１つの部分の執筆を依頼された作家のユーザ端末から投稿を受信したか否かを判定するステップと、
ｃ）その所定の期限内にその１つの部分の執筆を依頼された作家のユーザ端末から投稿を受信したと判定された場合には、その投稿の内容を登録するステップと、
ｄ）その所定の期限内にその１つの部分の執筆を依頼された作家のユーザ端末から投稿を受信しなかったと判定された場合には、ステップａ）に戻るステップと、
ｅ）その小説の最初の部分から最後の部分に至るまで、ステップａ）〜ｄ）を繰り返すステップと
をそのサーバに実行させるように構成されている、プログラム。
【請求項４】
前記複数の部分は、前記小説の「起」、「承」、「転」、「結」にそれぞれ対応する、請求項３に記載のプログラム。
【請求項５】
ユーザ端末と通信するサーバであって、そのサーバは、小説を作成するために使用され、その小説は、複数の部分を含み、
そのサーバは、
ａ）その複数の部分のうちの１つの部分を執筆する作家を決定し、その決定した作家のユーザ端末にその１つの部分の執筆を依頼する旨のリクエストを送信するステップと、
ｂ）所定の期限内に、その１つの部分の執筆を依頼された作家のユーザ端末から投稿を受信したか否かを判定するステップと、
ｃ）その所定の期限内にその１つの部分の執筆を依頼された作家のユーザ端末から投稿を受信したと判定された場合には、その投稿の内容を登録するステップと、
ｄ）その所定の期限内にその１つの部分の執筆を依頼された作家のユーザ端末から投稿を受信しなかったと判定された場合には、ステップａ）に戻るステップと、
ｅ）その小説の最初の部分から最後の部分に至るまで、ステップａ）〜ｄ）を繰り返すステップと
を実行するように構成されている、サーバ。
【請求項６】
前記複数の部分は、前記小説の「起」、「承」、「転」、「結」にそれぞれ対応する、請求項５に記載のサーバ。
【発明の詳細な説明】
【技術分野】
【０００１】
本発明は、複数人が一組となって１つの小説を作成するための方法、プログラムおよびサーバに関する。
【背景技術】
【０００２】
従来、携帯電話を使用して執筆し閲覧される小説として「ケータイ小説」が知られている。この「ケータイ小説」は、１０代から２０代を中心とした若者文化の代表として注目されている。
【発明の開示】
【発明が解決しようとする課題】
【０００３】
しかし、「ケータイ小説」においても、その著者はあらかじめ決められている。「ケータ小説」において、与えられたテーマに対して、ネットワーク上で、見ず知らずの複数人が一組となって１つの小説を作成するということは想定されていない。
【０００４】
本発明は、複数人が一組となって１つの小説を作成するための方法、プログラム、サーバを提供することを目的とする。
【課題を解決するための手段】
【０００５】
本発明の方法は、ユーザ端末と通信するサーバを用いて、小説を作成するための方法であって、その小説は、複数の部分を含み、その方法は、ａ）そのサーバが、その複数の部分のうちの１つの部分を執筆する作家を決定し、その決定した作家のユーザ端末にその１つの部分の執筆を依頼する旨のリクエストを送信するステップと、ｂ）そのサーバが、所定の期限内に、その１つの部分の執筆を依頼された作家のユーザ端末から投稿を受信したか否かを判定するステップと、ｃ）その所定の期限内にその１つの部分の執筆を依頼された作家のユーザ端末から投稿を受信したと判定された場合には、そのサーバが、その投稿の内容を登録するステップと、ｄ）その所定の期限内にその１つの部分の執筆を依頼された作家のユーザ端末から投稿を受信しなかったと判定された場合には、ステップａ）に戻るステップと、ｅ）その小説の最初の部分から最後の部分に至るまで、ステップａ）〜ｄ）を繰り返すステップとを含み、これにより上記目的が達成される。
【０００６】
前記複数の部分は、前記小説の「起」、「承」、「転」、「結」にそれぞれ対応してもよい。
【０００７】
本発明のプログラムは、ユーザ端末と通信するサーバにおいて実行され、小説を作成するために使用されるプログラムであって、その小説は、複数の部分を含み、そのプログラムは、ａ）その複数の部分のうちの１つの部分を執筆する作家を決定し、その決定した作家のユーザ端末にその１つの部分の執筆を依頼する旨のリクエストを送信するステップと、ｂ）所定の期限内に、その１つの部分の執筆を依頼された作家のユーザ端末から投稿を受信したか否かを判定するステップと、ｃ）その所定の期限内にその１つの部分の執筆を依頼された作家のユーザ端末から投稿を受信したと判定された場合には、その投稿の内容を登録するステップと、ｄ）その所定の期限内にその１つの部分の執筆を依頼された作家のユーザ端末から投稿を受信しなかったと判定された場合には、ステップａ）に戻るステップと、ｅ）その小説の最初の部分から最後の部分に至るまで、ステップａ）〜ｄ）を繰り返すステップとをそのサーバに実行させるように構成されており、これにより上記目的が達成される。
【０００８】
前記複数の部分は、前記小説の「起」、「承」、「転」、「結」にそれぞれ対応してもよい。
【０００９】
本発明のサーバは、ユーザ端末と通信するサーバであって、そのサーバは、小説を作成するために使用され、その小説は、複数の部分を含み、そのサーバは、ａ）その複数の部分のうちの１つの部分を執筆する作家を決定し、その決定した作家のユーザ端末にその１つの部分の執筆を依頼する旨のリクエストを送信するステップと、ｂ）所定の期限内に、その１つの部分の執筆を依頼された作家のユーザ端末から投稿を受信したか否かを判定するステップと、ｃ）その所定の期限内にその１つの部分の執筆を依頼された作家のユーザ端末から投稿を受信したと判定された場合には、その投稿の内容を登録するステップと、ｄ）その所定の期限内にその１つの部分の執筆を依頼された作家のユーザ端末から投稿を受信しなかったと判定された場合には、ステップａ）に戻るステップと、ｅ）その小説の最初の部分から最後の部分に至るまで、ステップａ）〜ｄ）を繰り返すステップとを実行するように構成されており、これにより上記目的が達成される。
【００１０】
前記複数の部分は、前記小説の「起」、「承」、「転」、「結」にそれぞれ対応してもよい。
【発明の効果】
【００１１】
本発明によれば、複数人が一組となって１つの小説を作成するための方法、プログラムおよびサーバを提供することができる。
【発明を実施するための最良の形態】
【００１２】
以下、図面を参照しながら、本発明の実施の形態を説明する。
【００１３】
１．システムの構成
図１は、システム１の構成の概略を示す。システム１は、サーバ１０と、複数のユーザ端末２０とを含む。サーバ１０と複数のユーザ端末２０とは、インターネット３０を介して接続されている。サーバ１０と複数のユーザ端末２０との間のインターネット接続は、無線インターネット接続であることが好ましい。ユーザ端末２０は、典型的には、携帯電話である。ただし、ユーザ端末２０として、パーソナルコンピュータ、携帯端末、ＰＤＡなどの情報端末機器を用いてもよい。
【００１４】
サーバ１０は、通信制御部１０ａと、プロセッサ１０ｂと、メモリ１０ｃとを含む。通信制御部１０ａとプロセッサ１０ｂとメモリ１０ｃとは、バス１０ｚを介して相互に接続されている。
【００１５】
メモリ１０ｃには、Ｗｅｂサーバプログラムが格納されている。プロセッサ１０ｂは、メモリ１０ｃに格納されているＷｅｂサーバプログラムを読み出し、そのＷｅｂサーバプログラムを実行する。これにより、サーバ１０をＷｅｂサーバとして機能させることが可能になる。
【００１６】
ユーザ端末２０は、通信制御部２０ａと、プロセッサ２０ｂと、メモリ２０ｃと、表示部２０ｄと、入力部２０ｅとを含む。通信制御部２０ａとプロセッサ２０ｂとメモリ２０ｃと表示部２０ｄと入力部２０ｅとは、バス２０ｚを介して相互に接続されている。表示部２０ｄは、例えば、液晶ディスプレイである。入力部２０ｅは、例えば、テンキー、十字キー、決定キーなどのキーを含む。
【００１７】
メモリ２０ｃには、Ｗｅｂブラウザプログラムが格納されている。プロセッサ２０ｂは、メモリ２０ｃに格納されているＷｅｂブラウザプログラムを読み出し、そのＷｅｂブラウザプログラムを実行する。これにより、ユーザ端末２０をＷｅｂブラウザとして機能させることが可能になる。
【００１８】
通信制御部１０ａ、２０ａは、サーバ１０とユーザ端末２０との間の通信を制御する。これにより、サーバ１０とユーザ端末２０とが通信を行いつつ、協働して動作することが可能になる。例えば、サーバ１０は、インターネット３０経由で、ユーザ端末２０の表示部２０ｄに画面（Ｗｅｂページ）を表示させることができ、その画面に対する入力（ユーザ端末２０の入力部２０ｅを用いた入力）を受信することができる。
【００１９】
２．システムの機能
システム１の機能の概要は、以下のとおりである。
（１）小説作成機能
小説作成機能は、システム１のメインの機能である。小説作成機能は、４人一組で与えられたテーマについて順番に小説を書くための機能である。４人一組は、システム１によってランダムに選ばれる。４人一組は、小説の「起」、「承」、「転」、「結」をそれぞれ担当する。小説作成機能の詳細については、下記３．において説明する。
（２）交流機能
上記４人一組は、システム１によってランダムに選ばれるためお互いを知らない。交流機能は、４人一組が１つの小説を書き終えた後に感想会の場を提供するなどして互いの交流を促進するための機能である。交流機能は、例えば、掲示板の形式で実現され得る。
（３）メール通知機能
メール通知機能は、必要なタイミングで該当者にメールを送信するための機能である。例えば、小説の投稿依頼が来ていることや、小説の投稿期限が近づいていることをメールで知らせることができる。メール通知機能は、例えば、電子メールの形式で実現され得る。
（４）ランキング機能
ランキング機能は、小説作成機能によって作成された小説（または、小説作成機能によって作成中の小説）のランキングを投票によって決めるための機能である。ランキング機能は、例えば、各ユーザ端末２０から入力された投票をサーバ１０において集計することによって実現され得る。
（５）コメント機能
コメント機能は、小説作成機能によって作成された小説（または、小説作成機能によって作成中の小説）にコメントを付けるための機能である。コメント機能は、例えば、各ユーザ端末２０から入力されたコメントをサーバ１０のメモリ１０ｃに格納されている小説に付けることによって実現され得る。
（６）ポイント機能
ポイント機能は、会員である各ユーザが投稿することや投票結果などによりポイントが付与される機能である。ポイント機能は、例えば、ユーザの行動や投票結果などをサーバ１０において集計することによって実現され得る。
（７）段位機能
段位機能は、会員である各ユーザが獲得したポイントなどに対応して、段位または称号をユーザごとに付与、表示するための機能である。段位機能は、例えば、現在、ユーザが獲得しているポイントをサーバ１０において集計することによって実現され得る。
【００２０】
３．小説作成機能の詳細
図２は、小説作成機能を実現するためのメインフローの概略を示す。このメインフローは、Ｗｅｂサーバプログラムの形式でサーバ１０のメモリ１０ｃに格納され、サーバ１０のプロセッサ１０ｂによって実行される。ここで、小説を作成する「作家」になるためには、作家登録する必要がある。すなわち、「作家」は、作家登録した会員である。「作家」になるためには、例えば、ユーザ端末２０の入力部２０ｅを用いてハンドルネーム（ニックネーム）およびメールアドレスを入力し、その入力されたハンドルネーム（ニックネーム）およびメールアドレスをサーバ１０に送信するようにすればよい。このような登録手続は、通常の会員登録手続と同様であるので、ここではその詳しい説明を省略する。
【００２１】
以下、図２を参照して、小説作成機能を実現するためのメインフローの各ステップを説明する。
【００２２】
ステップＳ１：テーマを設定する。テーマは、システム１の管理者によって設定され、サーバ１０のメモリ１０ｃに格納される。例えば、テーマとして「家出少女」が設定される。
【００２３】
ステップＳ２：「起」を執筆する作家を決定し、その決定された作家に「起」の執筆を依頼する。「起」を執筆する作家は、例えば、システム１が作家登録された会員の中から１人の作家をランダムに選択することによって決定される。その決定された作家に「起」の執筆を依頼することは、例えば、サーバ１０がその決定された作家のユーザ端末２０に「起」を執筆してほしい旨のリクエストを送信することによって行われる。
【００２４】
ステップＳ３：所定の期限内に、「起」を執筆する作家から投稿があったか否かを判定する。このような判定は、例えば、所定の期限内に、サーバ１０が「起」を執筆する作家のユーザ端末２０から投稿を受信したか否かを判定することによって行われる。所定の期限内に投稿があった場合には、処理はステップＳ４に進み、所定の期限内に投稿がなかった場合には、処理はステップＳ２に戻る。
【００２５】
ステップＳ４：「起」の執筆内容を登録する。このような登録は、例えば、サーバ１０のメモリ１０ｃの所定の位置に「起」の執筆内容を格納することによって行われる。登録された「起」の執筆内容は、ユーザ端末２０によって閲覧可能である。
【００２６】
ステップＳ５：「承」を執筆する作家を決定し、その決定された作家に「承」の執筆を依頼する。「承」を執筆する作家は、例えば、システム１が作家登録された会員の中から１人の作家をランダムに選択することによって決定される。その決定された作家に「承」の執筆を依頼することは、例えば、サーバ１０がその決定された作家のユーザ端末２０に「承」を執筆してほしい旨のリクエストを送信することによって行われる。
【００２７】
ステップＳ６：所定の期限内に、「承」を執筆する作家から投稿があったか否かを判定する。このような判定は、例えば、所定の期限内に、サーバ１０が「承」を執筆する作家のユーザ端末２０から投稿を受信したか否かを判定することによって行われる。所定の期限内に投稿があった場合には、処理はステップＳ７に進み、所定の期限内に投稿がなかった場合には、処理はステップＳ５に戻る。
【００２８】
ステップＳ７：「承」の執筆内容を登録する。このような登録は、例えば、サーバ１０のメモリ１０ｃの所定の位置に「承」の執筆内容を格納することによって行われる。登録された「承」の執筆内容は、ユーザ端末２０によって閲覧可能である。
【００２９】
ステップＳ８：「転」を執筆する作家を決定し、その決定された作家に「転」の執筆を依頼する。「転」を執筆する作家は、例えば、システム１が作家登録された会員の中から１人の作家をランダムに選択することによって決定される。その決定された作家に「転」の執筆を依頼することは、例えば、サーバ１０がその決定された作家のユーザ端末２０に「転」を執筆してほしい旨のリクエストを送信することによって行われる。
【００３０】
ステップＳ９：所定の期限内に、「転」を執筆する作家から投稿があったか否かを判定する。このような判定は、例えば、所定の期限内に、サーバ１０が「転」を執筆する作家のユーザ端末２０から投稿を受信したか否かを判定することによって行われる。所定の期限内に投稿があった場合には、処理はステップＳ１０に進み、所定の期限内に投稿がなかった場合には、処理はステップＳ８に戻る。
【００３１】
ステップＳ１０：「転」の執筆内容を登録する。このような登録は、例えば、サーバ１０のメモリ１０ｃの所定の位置に「転」の執筆内容を格納することによって行われる。登録された「転」の執筆内容は、ユーザ端末２０によって閲覧可能である。
【００３２】
ステップＳ１１：「結」を執筆する作家を決定し、その決定された作家に「結」の執筆を依頼する。「結」を執筆する作家は、例えば、システム１が作家登録された会員の中から１人の作家をランダムに選択することによって決定される。その決定された作家に「結」の執筆を依頼することは、例えば、サーバ１０がその決定された作家のユーザ端末２０に「結」を執筆してほしい旨のリクエストを送信することによって行われる。
【００３３】
ステップＳ１２：所定の期限内に、「結」を執筆する作家から投稿があったか否かを判定する。このような判定は、例えば、所定の期限内に、サーバ１０が「結」を執筆する作家のユーザ端末２０から投稿を受信したか否かを判定することによって行われる。所定の期限内に投稿があった場合には、処理はステップＳ１３に進み、所定の期限内に投稿がなかった場合には、処理はステップＳ１１に戻る。
【００３４】
ステップＳ１３：「結」の執筆内容を登録する。このような登録は、例えば、サーバ１０のメモリ１０ｃの所定の位置に「結」の執筆内容を格納することによって行われる。登録された「結」の執筆内容は、ユーザ端末２０によって閲覧可能である。
【００３５】
なお、所定の期限内に投稿があったか否かの判定は、例えば、プロセッサ１０ｂのタイマ機能を用いて、執筆を依頼してからの経過時間を計測し、その計測された経過時間が  所定の時間を越えているか否かを判定することによって行われる。その所定の時間は、例えば、１週間であってもよいし、３日であってもよい。
【００３６】
このように、４人一組で小説の「起」、「承」、「転」、「結」をそれぞれ登録することによって、１つの小説を完成させる。完成した小説（または、執筆中の小説）は、ユーザ端末２０によって閲覧可能である。
【００３７】
図３は、小説の「起」、「承」、「転」、「結」をそれぞれ登録することによって、１つの小説を完成させる過程を示すデータフローの一例を示す。ここで、図２に示されるステップＳ２において「Ａさん」が「起」を執筆する作家として決定され、図２に示されるステップＳ５において「Ｂさん」が「承」を執筆する作家として決定され、図２に示されるステップＳ８において「Ｃさん」が「転」を執筆する作家として決定され、図２に示されるステップＳ１１において「Ｄさん」が「結」を執筆する作家として決定されたと仮定する。
【００３８】
ステップＳ２１：サーバ１０は、「Ａさん」のユーザ端末２０に小説の投稿依頼（「起」の執筆依頼）が来ていることを伝達する。
【００３９】
ステップＳ２２：「Ａさん」のユーザ端末２０の入力部２０ｅを用いて「起」の執筆内容が入力される。
【００４０】
ステップＳ２３：「Ａさん」のユーザ端末２０は、入力された「起」の執筆内容をサーバ１０に送信する。
【００４１】
ステップＳ２４：サーバ１０は、「Ａさん」のユーザ端末２０から「起」の執筆内容を受信し、受信された「起」の執筆内容を登録する。
【００４２】
ステップＳ２５：サーバ１０は、「Ｂさん」のユーザ端末２０に小説の投稿依頼（「承」の執筆依頼）が来ていることを伝達する。
【００４３】
ステップＳ２６：「Ｂさん」のユーザ端末２０の入力部２０ｅを用いて「承」の執筆内容が入力される。
【００４４】
ステップＳ２７：「Ｂさん」のユーザ端末２０は、入力された「承」の執筆内容をサーバ１０に送信する。
【００４５】
ステップＳ２８：サーバ１０は、「Ｂさん」のユーザ端末２０から「承」の執筆内容を受信し、受信された「承」の執筆内容を登録する。
【００４６】
ステップＳ２９：サーバ１０は、「Ｃさん」のユーザ端末２０に小説の投稿依頼（「転」の執筆依頼）が来ていることを伝達する。
【００４７】
ステップＳ３０：「Ｃさん」のユーザ端末２０の入力部２０ｅを用いて「転」の執筆内容が入力される。
【００４８】
ステップＳ３１：「Ｃさん」のユーザ端末２０は、入力された「転」の執筆内容をサーバ１０に送信する。
【００４９】
ステップＳ３２：サーバ１０は、「Ｃさん」のユーザ端末２０から「転」の執筆内容を受信し、受信された「転」の執筆内容を登録する。
【００５０】
ステップＳ３３：サーバ１０は、「Ｄさん」のユーザ端末２０に小説の投稿依頼（「結」の執筆依頼）が来ていることを伝達する。
【００５１】
ステップＳ３４：「Ｄさん」のユーザ端末２０の入力部２０ｅを用いて「結」の執筆内容が入力される。
【００５２】
ステップＳ３５：「Ｄさん」のユーザ端末２０は、入力された「結」の執筆内容をサーバ１０に送信する。
【００５３】
ステップＳ３６：サーバ１０は、「Ｄさん」のユーザ端末２０から「結」の執筆内容を受信し、受信された「結」の執筆内容を登録する。
【００５４】
このように、「Ａさん」、「Ｂさん」、「Ｃさん」、「Ｄさん」の４人一組で１つの小説を作成する。発明者は、このように４人一組で作成する小説を「ケータイリレー小説」と命名した。このような「ケータイリレー小説」の作成にあたっては、テーマが設定されているものの、小説のストーリーをどのように展開させるかは４人の作家しだいである。例えば、「Ａさん」の「起」に続く「承」を執筆する「Ｂさん」は、「Ａさん」が予想したストーリーとは全く異なるストーリーを創作するかもしれない。「Ｃさん」、「Ｄさん」についても同様である。４人の作家のそれぞれが、「次はどのようにストーリーを展開させようか・・・」、「ここは、すんなりいくと見せかけて実はひねりをきかせて・・・」、「ここは、さりげなく布石を打っておいて後のお楽しみ・・・」などと考えをめぐらせながら小説の作成プロセスを楽しむことができる。ユーザ端末２０として携帯電話を用いる場合には、特に、作家はいつでもどこでも考えついた小説の内容を気軽に携帯電話に入力し、その内容を投稿することができる。このような創作環境は、作家の創作意欲をかきたてるために有用であると言える。
【００５５】
「ケータイリレー小説」を閲覧することが可能な読者は、読者登録した会員である。あるいは、読者登録していないサイト閲覧者が「ケータイリレー小説」の全部または一部（例えば、最新テーマのみ）を閲覧可能なようにしてもよい。「ケータイリレー小説」の読者も、予期せぬストーリー展開に「おや？」と思ったり、「自分ならこの続きはこう書くのだが・・・」という期待感をもって小説を読み進むことができる。このような意外性、ドキドキ感、ハラハラ感、期待感などが、「ケータイリレー小説」の醍醐味であると言える。いったん「ケータイリレー小説」に興味を持った読者は、作家登録することにより、「ケータイリレー小説」の作成に作家として参加することも可能である。
【００５６】
このようにして、読者登録した会員の数および作家登録した会員の数を増加させることによって、「ケータイリレー小説」のＷｅｂサイトの価値を高めることができる。その結果、「ケータイリレー小説」のＷｅｂサイトへの広告収入を増加させることができる。もちろん、完成した「ケータイリレー小説」の著作権ビジネスを行うことも可能である。
【００５７】
４．画面遷移
図４（ａ）〜（ｄ）は、ユーザ端末２０の表示部２０ｄに表示される画面の遷移を示す。
【００５８】
図４（ａ）は、サーバ１０から「Ｂさん」のユーザ端末２０に小説の投稿依頼（「承」の執筆依頼）が伝達された場合において、「Ｂさん」のユーザ端末２０の表示部２０ｄに表示されるメニュー画面を示す。図４（ａ）に示される画面において、「ＮＥＷ  小説の投稿依頼が来ています！」という項目を選択すると、図４（ｂ）に示される画面に遷移する。
【００５９】
図４（ｂ）は、「承」の執筆内容を入力するための画面（新規投稿画面）を示す。図４（ｂ）に示される画面において、「承」の執筆内容を入力した後、「これで投稿！」という項目を選択すると、図４（ｃ）に示される画面に遷移する。
【００６０】
図４（ｃ）は、投稿が完了したことを示す画面を示す。図４（ｃ）に示される画面において、「投稿した内容を読む」という項目を選択すると、図４（ｄ）に示される画面に遷移する。
【００６１】
図４（ｄ）は、投稿された小説の内容を表示するための画面（ストーリー詳細画面）を示す。例えば、「承」の内容を執筆した「Ｂさん」は、ストーリー詳細画面を表示することによって自分が投稿した小説の内容を確認することができる。
【００６２】
図５（ａ）〜（ｄ）は、図４（ａ）に示されるメニュー画面から遷移する画面を示す。
【００６３】
図５（ａ）は、新着テーマの一覧を表示するための画面（新着テーマ画面）を示す。図４（ａ）に示される画面において、「新着テーマ」という項目を選択すると、図５（ａ）に示される画面に遷移する。
【００６４】
図５（ｂ）は、最新投稿を見るための画面（最新投稿画面）を示す。図４（ａ）に示される画面において、「最新投稿を見る」という項目を選択すると、図５（ｂ）に示される画面に遷移する。
【００６５】
図５（ｃ）は、ランキングを表示するための画面（ランキング画面）を示す。図４（ａ）に示される画面において、「ランキング」という項目を選択すると、図５（ｃ）に示される画面に遷移する。
【００６６】
図５（ｄ）は、自分自身の投稿履歴を表示するための画面（Ｍｙヒストリー画面）を示す。図４（ａ）に示される画面において、「Ｍｙヒストリー」という項目を選択すると、図５（ｄ）に示される画面に遷移する。
【００６７】
図６（ａ）は、投稿された小説の内容を表示するための画面（ストーリー詳細画面）を示す。図５（ｂ）および図５（ｄ）に示される画面において、「もっとみる」という項目を選択すると、図６（ａ）に示される画面に遷移する。
【００６８】
図６（ｂ）は、投票を受け付けたことを示す画面を示す。図６（ａ）に示される画面において、「拍手」を選択すると、図６（ａ）に示される画面に表示されている小説に投票したことになり、その投票によりポイントが増加され、その増加したポイントがランキングに反映される。ただし、自分自身が投稿した小説には投票できないようになっている。
【００６９】
なお、図４〜図６を参照して上述した画面遷移は、サーバ１０の側のＷｅｂサーバプログラムとユーザ端末２０の側のＷｅｂブラウザプログラムとが協働することによって達成される。例えば、サーバ１０の側のＷｅｂサーバプログラムを実行することにより、サーバ１０は、画面を作成するのに必要なデータをユーザ端末２０に送信し、ユーザ端末２０の側のＷｅｂブラウザプログラムを実行することにより、ユーザ端末２０は、サーバ１０から送信されたデータを受信し、その受信されたデータに基づいて画面を作成し、その作成された画面を表示部２０ｄに表示する。ユーザ端末２０の側のＷｅｂブラウザプログラムを実行することにより、ユーザ端末２０は、入力部２０ｅを介して入力されたデータをサーバ１０に送信し、サーバ１０の側のＷｅｂサーバプログラムを実行することにより、サーバ１０は、ユーザ端末２０から送信されたデータを受信し、その受信されたデータを処理する。このように、サーバ１０とユーザ端末２０との間でデータを双方向に送受信することによって、システム１は様々な機能を果たすように構成されている。
【００７０】
なお、上述した実施の形態では、４人一組としたが、一組の人数は４人に限定されない。２人以上の任意の人数の作家で１つの小説を書くようにしてもよい。また、４人一組は、システム１によってランダムに選ばれるとしたが、所定の順番に選ばれるようにしてもよく、システム１の管理者によって指名されるようにしてもよい。あるいは、次に執筆したい作家が自ら立候補することを受け付けることができるようにしてもよい。
【００７１】
また、上述した実施の形態では、小説は、「起」、「承」、「転」、「結」の４つの部分に分割されるとしたが、小説の分割方法はこれに限定されない。２以上の任意の数の部分に小説を分割するようにしてもよい。この場合、小説の２以上の部分のすべてを異なる作家が執筆するようにしてもよいし、小説の２以上の部分のいくつかを同一の作家が執筆するようにしてもよい。
【００７２】
また、上述した実施の形態では、４人一組で小説を書く場合を説明したが、本発明の考え方は、複数人で一組となって１つの作品を作成するすべての場合に適用することができる。例えば、本発明の考え方は、４人一組で４コマ漫画を作成する場合にも適用することができる。      
【００７３】
また、上述した実施の形態では、サーバ１０と複数のユーザ端末２０とは、インターネット３０を介して接続されるとしたが、インターネット３０の代わりに任意のタイプのネットワークを用いてもよい。
【００７４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００７５】
本発明は、複数人が一組となって１つの小説を作成するための方法、プログラムおよびサーバ等を提供するものとして有用である。
【図面の簡単な説明】
【００７６】
【図１】システム１の構成の概略を示す図
【図２】小説作成機能を実現するためのメインフローの概略を示す図
【図３】小説の「起」、「承」、「転」、「結」をそれぞれ登録することによって、１つの小説を完成させる過程を示すデータフローの一例を示す図
【図４】（ａ）〜（ｄ）は、ユーザ端末２０の表示部２０ｄに表示される画面の遷移を示す図
【図５】（ａ）〜（ｄ）は、図４（ａ）に示されるメニュー画面から遷移する画面を示す図
【図６】（ａ）は、ストーリー詳細画面を示す図、（ｂ）は、投票を受け付けたことを示す画面を示す図
【符号の説明】
【００７７】
１  システム
１０  サーバ
１０ａ  通信制御部
１０ｂ  プロセッサ
１０ｃ  メモリ
２０  ユーザ端末
２０ａ  通信制御部
２０ｂ  プロセッサ
２０ｃ  メモリ
２０ｄ  表示部
２０ｅ  入力部
３０  インターネット
【図１】
2010117953.tif 000003
【図２】
2010117953.tif 000004
【図３】
2010117953.tif 000005
【図４】
2010117953.tif 000006
【図５】
2010117953.tif 000007
【図６】
2010117953.tif 000008